(57)【要約】【課題】犬の無駄吠え、あまがみ、引っ張り、拾い食いなどの行動を矯正する際、犬に過度なストレスを与えることなく、屋内はもとより、屋外で携帯してもコンパクトでとっさのときにも使用できる犬のしつけ用具を提供する。【解決手段】金属製の円筒容器（３）の上ふた（２）の内側中央部分よりコイン状の金属（６）と鎖（５）をとりつけ、屋内では上ふたを円筒容器につけた状態で円筒容器を振ることにより、犬の嫌いな金属音を発生させ、屋外に携帯するときは円筒容器から上ふたを取り外し、上ふたの厚みの中にコイン状の金属と鎖を収め、持ち運びしやすく、とっさのときにも犬の嫌いな音を発生させ、犬の行動矯正を可能にする。【選択図】図２
2006122029.tif 000002
【特許請求の範囲】
【請求項１】
金属製の円筒容器（３）の上ふた（２）の内側にコイン状のメダル（６）と鎖（５）を取り付け、円筒容器を振ることにより、犬の嫌がる金属音を発生させ、犬の行動を効果的に矯正することの出来る犬のしつけ用具。
【請求項２】
請求項１の円筒容器（３）の上ふた（２）を取り外し（図２）、上ふた（２）の厚みにコイン状のメダル（６）と鎖（５）を収納できるようにし（図３）、コンパクトに携帯でき、とっさの時にも使用可能という特徴を持つ犬のしつけ用具。
【発明の詳細な説明】
【技術分野】
【０００１】本発明は、犬をしつけする際、犬の嫌がる金属音を利用し、無駄吠え、あま噛み、ひっぱり、拾い食いなどの犬の行動を矯正する用具である。本発明は、外出時に携帯することを前提としており、コンパクトに持ち歩きが出来、歩行の際の揺れにも音がせず、とっさの時にもすぐに取り出し、使用可能な形になっている。
【背景技術】
【０００２】犬をしつけする場合、飼い主が大きな声で叱っても犬には効果的に伝わらず、励まされている、大きな声でかまってもらっている、などと勘違いする場合が多く、飼い主が大きな声を張り上げて叱るのは逆効果となる場合が多い。【０００３】従来は家庭犬のしつけ訓練の専門家の間で、手作りで、アルミの空き缶などにコインを入れ、缶を振ることによって犬の嫌いな金属音を発生させ、無駄吠えの矯正に利用していた。これは、効果的な金属音を発生させることは出来るが、散歩など外出時にはかさばり、歩行などの揺れによっても不必要な金属音が発生する為、犬が揺れによる金属音にも反応し、混乱してしまい、外出には使用が難しかった。また、犬のしつけにはタイミングが重要であり、散歩時のとっさの吠え、引っ張り、拾い食いなどの行動に対して、間髪を入れない対応が必要だが、この点でも取り出しに時間がかかり、効果的な使用ができなかった。【０００４】また、犬の無駄吠えを防止する装置を首輪につけ、犬の嫌がる超音波を発生させるものや、スプレーで犬の嫌う強いにおいを発生させるものなどがあったが、いずれも調整が難しく、弱い刺激から始めると犬は刺激に慣れてしまい、強く調節してしまうとショックで脅えてしまう犬もあった。また、特別な装置を首輪につけることは犬にストレスを与えることにもなり、首輪をつけること自体を嫌がる場合も有り、使いづらい面があった。
【発明の開示】
【発明が解決しようとする課題】
【０００５】本発明は犬に特別な器具を装着することなく、また、強い超音波やスプレー臭などによる過度なストレスを与えず、室内はもとより、外出時もコンパクトで持ち運びしやすく、とっさの時でも使用が出来、効果的なしつけを可能にする。
【課題を解決するための手段】
【０００６】犬は興奮している時でも金属音には敏感に反応し、極端に嫌がる性質を利用し、犬が無駄吠え、あま噛み、ひっぱり、拾い食いなどの行動を行ったときにすばやく飼い主が金属音を鳴らすことにより、効果的に犬の行動を止めさせることができる。【０００７】本発明は具体的には、円筒容器（３）の上ふた（２）の構造に特徴をもつものである。上ふた（２）は内側よりコイン状の金属（６）のついた鎖（５）をつりさげたもので、屋内で使用する時には、上ふたを円筒容器につけた状態（図１）で円筒容器を上下左右に振ることにより、コイン状の金属と鎖が円筒容器の底、壁面にぶつかり、金属音を発生させる。
また、屋外では鎖（５）及びコイン状の金属（６）のついた上ふた（２）を取り外し、上ふた部分（図２）単独でも同種の金属音を発生させることが出来る用具である。【０００８】この上ふた（２）は逆さにすると、鎖とコイン状の金属が隙間無くおさまる大きさと厚みをもっており（図３）、ポケットなどに入れて音をさせずに持ち運ぶことができる。屋外で犬が吠える、ひっぱる、拾い食いをするなどの行動を起こした時に、上ふた部分（図２）をすばやく犬の足元に投げつけると犬は金属音とともに落ちてくる物体に驚く（図４）。これを数回繰り返すと犬は自分のしている行動が飼い主の望まない行動だとわかるようになり、やがて、飼い主が上ふた部分を握り締める（図３）わずかな金属音のみにも反応するようになり、実際に上ふた部分を投げつける前に犬自身がこれ以上行動を続けると上ふた部分が飛んでくると感じ取り、飼い主の望まない行動を抑制するようになる。【０００９】犬に過度なストレスを与えず、音の強弱も飼い主が、円筒容器（３）の振り方、上ふた部分（図２）の投げ方、コイン状の金属（６）のついた鎖（５）の数を調節することで容易に犬の反応を見ながら調節するこが可能である。  また、外出時の持ち歩きにもコンパクトにポケットなどに収納でき、歩行時の揺れにも不必要な金属音がしないので、犬は混乱することがなく、犬の行動の効果的な矯正に役立つ。
【発明の効果】
【００１０】本発明は犬の嫌がる金属音を利用することにより、犬にしてはいけないことが効果的に伝わり、犬の行動を矯正するのに役立つ。【００１１】屋内では円筒容器（３）を振り、金属音を嗚らすことで近所迷惑になる無駄吠えやあま噛みの抑制に役立ち、また、屋外では吠え、ひっぱり、拾い食いなどの行動をした場合に上ふた部分（図２）を犬の足元に投げつける（図４）と、犬は金属音とともに物体が落ちてくることに驚き、興奮した状態でもたじろぐ。犬の行動に対する注意として上ふた部分を投げる行為を数回繰り返すうちに、犬は自分がしている行動がやってはいけない行動であったということがわかるようになり、やがて手元で握り締める上ふた部分の鎖の金属音を聞いただけで、上ふた部分が飛んでくるということが予想され、飼い主が実際に投げつけなくても、手元で金属音をならしただけで犬は飼い主が注意しようとする行動を抑制するようになる。  犬は常に飼い主に注目するようにもなるので、犬のしつけで重要な飼い主のリーダーシップを示すという面でも役立つ。  良い行動をしたら誉めてやり、悪い行動をしたら本発明を使用することで、しつけの効果は絶大である。【００１２】上ふた（２）の大きさは内側にコイン状の金属（６）付きの鎖（５）が隙間無く入り、無理なくポケットに収納できる大きさになっており、とっさの時にも使用しやすい形状である。  また、上ふた（２）の開閉はねじり式で衝撃にも強い。  鎖（５）の長さは上ふたを円筒容器に接合し、吊るした状態で円筒容器の底に十分接触する長さで、鎖の一番下にコイン状の金属（６）を１個以上つけることにより、上下に円筒容器を振ったときの音を大きく出す効果がある。  上ふたと鎖をつなぐ接合部分は金属製のやや大きめの輪（４）を使用する。  これは犬の性格によって、音の強弱を調節する場合にコイン状の金属付きの鎖の数を増減しやすくするためと、振ったときの揺れを大きくするためである。  上ふた外部の金属製の輪（１）は紐を通すものであり、紐を引っ張れば、いったん投げつけた上ふた部分（図２）はしゃがむことなく回収出来、拾う際の犬からの飛びつきを防止できる（図４）。【００１３】素材については、円筒容器（３）、上ふた（２）、鎖（５）、上ふた外部の輪（１）、上ふた内部の輪（４）は地面にたたきつけたり、振ったりするため、錆びにくく、丈夫で手入れがしやすいスチール、ステンレス合金、またはステンレスコーティングされたものが適している。鎖はアルミやチタンのような軽すぎる素材は地面に落としたときの衝撃が少ないため大方の犬には適していないが、小型犬で怖がりの性格を持つ犬に使用する場合には軽い素材のアルミ、チタンが適している場合もある。  大方の犬の場合は少し重みのある方がむしろ適している。  コイン状の金属（６）の素材は効果的な金属音を鳴らすことが出来、また丈夫で錆びない青銅、ニッケルと銅の合金、白銅など銅の合金類が良い。
【発明を実施するための最良の形態】
【００１４】屋内での使用は図１のように、安定性のある形状の円筒容器（３）を用い、上ふたをしめた状態で上下左右に振ることにより、簡単に犬の嫌う金属音を発生させることができる。例えば、犬が無駄吠えをした時に、すかさず円筒容器を振ると犬は金属音に反応し、吠えるのを止める、止めたときに飼い主がすぐに誉めてやるということを繰り返すと、犬は吠えると嫌いな金属音がするこを、吠えるのを止めると飼い主に誉められることを習慣的に覚えるようになる。【００１５】屋外での使用は図３のように、上ふた（２）にコイン状の金属と鎖が隙間無く入る形状になっており、ポケットなどに入れれば、散歩時の歩行の揺れにも不必要な金属音を発することはない。  犬が吠える、引っ張る、拾い食いをするなどのとっさの行動をした時に、すばやく上ふた部分を犬の足元に投げつけることにより、犬の嫌いな金属音を発生させることが出来、犬は金属音とともに目の前に飛んでくる物体に驚き、行動を止める。屋内の場合と同様に犬が行動を止めたときに飼い主が犬をすぐに誉めてやるということを繰り返すと、犬は飼い主の望まない行動をすれば金属音とともに嫌なものが飛んでくる、その行動を止めれば飼い主に誉められるということを習慣的に覚えるようになる。  また、飼い主が上ふた部分を握り締めたときに発生するわずかな金属音にも反応し、実際に投げつける前に犬は飼い主の望まない行動を止めるようになる。【００１６】屋外で野犬などの攻撃や犬同士の喧嘩が発生した時に、図４のように紐を通した上ふた部分（図２）を投げつける、振り回すなどして、犬を驚かせ、ひるませることが出来、護身用としても使用できる。
【図面の簡単な説明】
【００１７】
【図１】上ふたをつけた円筒容器の外観図である。
【図２】コイン状の金属と鎖が上ふたに付属している、上ふた部分のみの斜視図である。
【図３】上ふたを逆さにし、コイン状の金属と鎖を入れた、携帯時の使用状態を示す図である。
【図４】上ふたに紐をつけ、犬の足元に投げつけた時の使用状態を示す図である。
【符号の説明】
【００１８】１  上ふた外部の輪
２  上ふた
３  円筒容器
４  上ふた内部の輪
５  鎖
６  コイン状の金属
【図１】
2006122029.tif 000003
【図２】
2006122029.tif 000004
【図３】
2006122029.tif 000005
【図４】
2006122029.tif 000006